(57)【要約】  コネクタは２以上の容積間の物質移動通路を、容積の内部の内容物を外部環境に露出することなく、形成するために設けられている。取り外し可能なカバーがフラップ形成膜又は境界要素に設けられ、フラップは接着剤を含む。２つの容器及び/又は導管は、カバーを取り外し、フラップを一致させ、容器及び/又は導管を接合し、フラップを周囲の膜から解放することで、対応するコネクタを用いて互いに接続されてもよい。
2009511233.tif 000002
【特許請求の範囲】
【請求項１】
容器及び導管のいずれか用のコネクタにおいて、
第１容器又は導管により規定される内部容積の少なくとも一部を境界付ける境界要素に形成され、一部が前記境界要素から分離するようにされているフラップと、
前記境界要素に分離可能に接合され、前記フラップに跨るカバーアセンブリと、
からなるコネクタ。
【請求項２】
前記境界要素は第１容器又は導管の外壁からなる請求項１に記載のコネクタ。
【請求項３】
前記境界要素と前記第１容器又は導管の間に配置された突出フランジをさらに有し、このフランジに前記フランジが接合されている請求項１に記載のコネクタ。
【請求項４】
前記フラップは外面を有し、該外面は接着材料からなる請求項１に記載のコネクタ。
【請求項５】
前記フラップは、前記境界要素により実質的に拘束されている請求項１に記載のコネクタ。
【請求項６】
前記境界要素は折り畳み可能な材料と実質的に非剛性材料のいずれかからなる請求項１に記載のコネクタ。
【請求項７】
前記境界要素と前記カバーのいずれかはポリマーフィルムからなる請求項１に記載のコネクタ。
【請求項８】
前記カバーはプルタブを有する請求項１に記載のコネクタ。
【請求項９】
外部から視認可能な調整マークをさらに有する請求項１に記載のコネクタ。
【請求項１０】
前記境界要素と前記カバーのいずれかに説明書又は印をさらに有する請求項１に記載のコネクタ。
【請求項１１】
前記容器又は前記コネクタの各々は内面を有し、各内面は、１ミクロン以上のサイズの粒子が１平方センチメートル当たり約１粒子以下の表面濃度を有する請求項１に記載のコネクタを有する容器。
【請求項１２】
前記容器と前記コネクタのいずれかの内面は実質的に滅菌されている請求項１１に記載の容器。
【請求項１３】
前記容器と前記コネクタのいずれかは、わずかに約０．０５重量パーセントのポロゲンを含むポリマー材料からなる請求項１に記載のコネクタを有する容器。
【請求項１４】
請求項１による第１コネクタを有する第１端と、請求項１による第２コネクタを有する第２端とを有する導管。
【請求項１５】
請求項１による第１コネクタを有する第１容器と、
（Ａ）請求項１による第２コネクタを有する第２容器と（Ｂ）請求項１による第２コネクタを有する導管とのいずれかとからなるアセンブリ。
【請求項１６】
請求項１１の容器を有する物質処理システム。
【請求項１７】
請求項１によるコネクタを有する容器と、
前記容器の内容物を混合するように適合された混合要素とからなる物質処理システム。
【請求項１８】
容器と導管のいずれかのためのコネクタにおいて、
開口を形成する壁を有する突出フランジと、
前記フランジに接合され、前記開口をまたぎ、内面を有するとともに、外面を有し、フラップ部を形成する第１膜と、
前記第１膜の外面に取り外し可能に接着された第２膜と、
からなるコネクタ。
【請求項１９】
前記第２膜は前記第１膜に取り外し可能に接着剤で接着されている請求項１８に記載のコネクタ。
【請求項２０】
前記接着剤は抗菌物質からなる請求項１９に記載のコネクタ。
【請求項２１】
前記フラップ部は前記第１膜によって実質的に拘束され、前記第１膜に形成された少なくとも１つの切れ目セグメントによって境界付けられている請求項１８に記載のコネクタ。
【請求項２２】
前記少なくとも１つの切れ目セグメントはレーザアブレーションにより形成されている請求項２１に記載のコネクタ。
【請求項２３】
前記第１膜と前記第２膜のいずれかはポリマーフィルムからなる請求項１８に記載のコネクタ。
【請求項２４】
前記第２膜の少なくとも1部は前記壁を越えて半径方向外方に延びている請求項１８に記載のコネクタ。
【請求項２５】
前記壁を越えて半径方向外方に延びている第２膜の少なくとも１部はプルタブからなる請求項１８に記載のコネクタ。
【請求項２６】
請求項１８のコネクタを有する容器。
【請求項２７】
前記容器は、折り畳み可能な材料と実質的に非剛性の材料のいずれかからなる請求項２６に記載の容器。
【請求項２８】
前記第２膜に配置された説明書又は印をさらに有する請求項２６に記載の容器。
【請求項２９】
前記容器はポリマーフィルムからなる請求項２６に記載の容器。
【請求項３０】
請求項２６の容器からなる物質処理システム。
【請求項３１】
前記容器の内容物を混合するように適合された混合要素をさらに有する請求項３０に記載の物質処理システム。
【請求項３２】
請求項１８による第１コネクタを有し、第１物質を収容する第１容器と、
請求項１８による第２コネクタを有し、第２物質を収容する第２容器と、
からなるキット。
【請求項３３】
請求項２６の容器と、
前記容器の使用と、前記容器の他の容器又は導管との相互接続とのいずれかのための説明書又は印と、
を有するキット。
【請求項３４】
請求項１８による第１コネクタを有する第１容器と、
請求項１８による第２コネクタを有する第２容器と、
前記第１容器と前記第２容器のいずれかの上に配置され、中に配置され、又は包装された説明書又は印と、
からなるキット。
【請求項３５】
前記第１容器を前記第２容器に接合するように適合されたクランプをさらに有する請求項３４に記載のキット。
【請求項３６】
前記第１容器と前記第２容器のいずれかは調整マークを有する請求項３４に記載のキット。
【請求項３７】
クランプで接合された請求項２６による第１容器と請求項２６による第２容器とからなるアセンブリ。
【請求項３８】
２つの容器間の物質移動を促進する方法において、
第１開口を形成する第１壁を含む第１突出フランジを有し、前記第１突出フランジに接合された第１内膜を有し、前記第１内膜が第１外面と第１内面を有し、前記第１開口を跨ぎ、前記第１内膜により実質的に拘束された第１フラップ部を形成する第１容器を提供するステップと、
第２開口を形成する第２壁を含む第２突出フランジを有し、前記第２突出フランジに接合された第２内膜を有し、前記第２内膜が第２外面と第２内面を有し、前記第２開口を跨ぎ、前記第２内膜により実質的に拘束された第２フラップ部を形成する第２容器を提供するステップと、
前記第１フラップ部が前記第２フラップ部とほぼ一致するように、前記第１フランジと前記第２フランジを一致させるステップと、
前記第１フランジと前記第２フランジを接合するステップと、
前記第１内膜部から第１フラップ部を解放し、前記第２内膜部から第２フラップ部を解放し、前記第１容器と前記第２容器の間の通路を開放するステップと、
からなる方法。
【請求項３９】
前記第１容器は、初期に前記第１内膜の近傍に第１外膜を有し、前記第２容器は、初期に前記第２内膜の近傍に第２外膜を有し、前記方法はさらに、前記接合ステップの前に、前記第１外膜と前記第２外膜を取り外して前記第１内膜の外面と前記第２内膜の外面を露出するステップをさらに有する請求項３８に記載の方法。
【請求項４０】
前記接合ステップは、前記第１外面を前記第２外面に接着して前記第１フラップ部を前記第２フラップ部に接合するステップを含む請求項３８に記載の方法。
【請求項４１】
前記第１容器は第１物質を収容し、前記方法はさらに、前記第１容器から前記第１物質の少なくとも１部を前記通路を通って前記第２容器に移動するステップをさらに有する請求項３８に記載の方法。
【請求項４２】
前記第１フラップ部は、少なくとも１つの第１切れ目セグメントにより境界付けられた第１膜の１部からなり、前記第２フラップ部は、少なくとも１つの第１切れ目セグメントにより境界付けられた第１膜の１部からなり、前記解放ステップは、前記第１膜を前記少なくとも１つの第１切れ目セグメントに沿って分離し、前記第２膜を前記少なくとも１つの第２切れ目セグメントに沿って分離するステップを含む請求項３８に記載の方法。
【請求項４３】
２以上の容積の間の物質移動通路を、前記２以上の容積の内容物を前記容積の外の環境に露出することなく、形成する方法であって、各容積は出口を有し、出口カバーの内面を含む内面によって境界付けられ、前記出口カバーは、外面を有する、方法において、
第１容積の前記出口カバーの外面を、第２容積の前記出口カバーの外面と一致させるステップと、
前記第１容積の前記出口カバーの外面を、前記第２容積の前記出口カバーの外面に対してシールするステップと、
前記第１容積の出口と前記第２容積の出口を通る通路を、前記第１容積と前記第２容積の内容物を前記第１出口カバーと前記第２出口カバーの外面のいずれかに露出することなく、開放するステップと、
からなる方法。
【請求項４４】
前記２以上の容積は、少なくとも２つの容器を有する請求項４３に記載の方法。
【請求項４５】
前記少なくとも２つの容器のいずれかの容器は、折り畳み可能な材料と実質的に非剛性の材料のいずれかからなる請求項４３に記載の方法。
【請求項４６】
前記少なくとも２つの容器のいずれかの容器は、ポリマーフィルムからなる請求項４３に記載の方法。
【請求項４７】
前記２以上の容積は、容器と導管からなる請求項４３に記載の方法。
【請求項４８】
前記導管は、チューブ、ホース、パイプ、及びダクトのいずれかからなる請求項４７に記載の方法。
【請求項４９】
前記第１容積と前記第２容積のいずれかの出口カバーの外面は、前記第１容積の出口カバーの外面を前記第２容積の出口カバーの外面に接触させたときにシールする接着剤からなる請求項４５に記載の方法。
【請求項５０】
前記第１容積の出口カバーは第１調整マークを有し、前記第２容積の出口カバーは第２調整マークを有し、前記調整ステップは、前記第１調整マークと前記調整マークを一致せせるステップを含む請求項４３に記載の方法。
【請求項５１】
前記第１容積の出口は第１フランジを有し、前記第２容積の出口は第２フランジを有し、前記方法はさらに、前記第１フランジと前記第２フランジを接合するステップをさらに有する請求項４３に記載の方法。
【請求項５２】
前記接合ステップは、前記第１フランジを前記第２フランジにクランプするステップを含む請求項４３に記載の方法。
【請求項５３】
請求項４３の方法により形成された物質移動通路を有する２以上の相互接続された容積のアセンブリ。
【発明の詳細な説明】
【技術分野】
【０００１】
本発明は、実験室や工場で種々の物質を処理（例えば混合及び／又は反応）するために使用される容器を含む種々の容器を接続又は結合するための相互接続装置、この相互接続装置を含むシステム、およびこの相互接続装置を使用する方法に関する。
【背景技術】
【０００２】
個体、液体及び／又はガスの種々のタイプの成分を混合及び／又は反応は、種々の産業で大いに使用されている。例えば、薬剤工業では多くの種類の薬剤先駆物質及び／又は、治療剤が混合及び／又は反応される。医療分野では体液及び／又は薬剤のような成分が混合され、及び／又は反応される。半導体分野では、湿潤性溶液が研磨剤と組み合わされ、スラリが生成される。また、食品工業では、水と乾燥食品を混合して元に戻すことを含む混合操作を多くの用途に組み入れている。
【０００３】
しかしながら、これらの及び他の工業では混合又は反応される成分は、有害で危険であり伝染性が有り、及び／又は高レベルの純度を必要とする。例えば、薬剤及び／又は医療産業では、混合又は反応操作にさらされる成分は有毒であることがある。薬剤分野では、処理される液体は生存しているウィルス（例えばＨＩＶ）又は他の病原体を含み人がこのような液体と接触するのを避ける必要性がある。さらに半導体工業では、化学物質の取り扱いを避けて、粒子を形成し、不純物を導入する可能性を減少している。このために、非反応性材料で製造された密封物質処理アセンブリ内で混合又は反応工程を行なうことが望ましい。
【０００４】
従来の物質を混合及び／又は反応させるシステムは、ガラス又はステンレス鋼のような材料から製造された再使用可能なタンクと関連の攪拌手段を使用している。使用する前にこれらのタンクは典型的には洗浄し、殺菌しなければならない。小容積のタンクを洗浄し、殺菌するのにオートクレーブが使用され、大容積のタンクを洗浄し、殺菌するのに水蒸気を基礎とする操作が使用される。半導体分野でエッチング残渣をバッジで除去する時、汚染物の導入はすべてのレベルの処理で排除され、最終半導体装置の故障につながる粒子の形成を減少しなければならない。これらの洗浄、殺菌、及び処理操作は、時間を浪費し、高価である。これらの作業に高度に格付けされた人を必要とする。
【０００５】
共通して譲渡された米国特許出願公開第２００４０２３３７７９号の「個体・液体及びガスを混合する可撓性混合袋」に開示されたような１回使用の「廃棄可能」流体処理容器が最近、ＡＴＭIインコーポレーテッド（コネティカット州ダンバリー）で開発され、ここで記載する難題の少なくともいくつかに取り組んでいる。しかしながら、このような容器を使用しても、複数の容器を互いに接続して、そのような容器の間の液体の連通を許容することは困難である。
【０００６】
この結果、液体処理容器とその相互接続装置の改良が求め続けられている。
【０００７】
相互接続工程を行う時、このような容器への汚染物質の導入を回避することが望ましい。大気環境へのわずかな露出でも、微生物及び粒子物質が容器への導入が可能となるので、相互接続工程で通路を大気環境に開放することなく、容器を相互接続することができること望ましい。また、コネクタをその関連の処理容器と共に殺菌することが望ましい。さらに、１又は複数の処理容器の内容物と接触する流体相互接続装置の表面の滅菌性（sterility）を保証するバックアップ手段を設けることが望ましい。さらに、容器の輸送及び取扱中に容器相互接続装置の滅菌を維持するのに必要な包装の必要性を減少することが望ましい。又、容器相互接続装置が充分簡素で製造が安価で、必要ならば１回使用後に廃棄するのに費用効果を良くすることが望ましい。
【特許文献１】米国特許出願公開第２００４０２３３７７９号
【発明の開示】
【０００８】
本発明は、改良された相互接続器、該相互接続器を有するシステム、該相互接続器、システムを製造し、使用する方法に関する。
【０００９】
出願人は、相互接続工程を行うときに容器に汚染物が導入をするのを回避することが望ましいと認識している。大気環境への短時間の露出でも微生物や粒子物質が容器に進入するので、相互接続工程中に、大気環境への通路を開放することなく、容器を相互接続することができることが望ましい。また、出願人は、コネクタをその関連の処理容器とともに滅菌可能であることが望ましいと認識している。１又は複数の処理容器の内容物と接触する流体相互接続において、表面の滅菌を保証するバックアップ手段を設けることも望ましい。さらに、容器の輸送及び取扱い中の容器相互接続滅菌を維持するのに要求される包装の必要性を減少することも望ましい。さらに、容器相互接続が十分に簡単で安価であり、もし望まれるなら１回使用後に廃棄するのに費用効果が高いことも望ましい。本発明は、１又は複数の上記望ましい特徴を提供する相互接続に関する。
【００１０】
本発明の１つの実施形態は、
（ａ）開口形成壁を有する突出フランジと、
（ｂ）前記フランジに接合され、前記開口をまたぎ、内面と外面を有し、フラップ部を形成する第１膜と、
（ｃ）前記第１膜の外面に取り外し可能に接着され、１つの容器コネクタを同様のタイプの他のコネクタに接合する前に取り外されるように意図された第２膜と、
からなる容器コネクタに関する。
【００１１】
他の実施形態は、
（ａ）第１容器又は導管により形成された内部容積（volume）の少なくとも１部を境界付ける境界要素に形成され、その一部が前記境界要素から分離されるように適合されたフラップ部と、
（ｂ）前記境界要素に取り外し可能に接合され、前記フラップをまたぐカバーと、
からなる容器及び/又は導管のコネクタに関する。
【００１２】
他の実施形態は、１又は複数の前記容器コネクタを有する容器と、該容器を使用する方法に関する。
【００１３】
他の実施形態は、１又は複数の前記容器、及び/又は１又は複数の上記容器コネクタからなる混合システムに関する。
【００１４】
さらに他の実施形態は、
出口を有する２以上の容積の間の物質移動通路を、前記２以上の容積の内容物を前記容積の外の環境に露出することなく、形成する方法であって、各容積は、出口カバーの内面を含む内面によって境界付けられ、前記出口カバーは、外面を有する、方法において、
第１容積の前記出口カバーの外面を、第２容積の前記出口カバーの外面と一致させるステップと、
前記第１容積の前記出口カバーの外面を、前記第２容積の前記出口カバーの外面に対してシールするステップと、
前記第１容積の出口と前記第２容積の出口を通る通路を、前記第１容積と前記第２容積の内容物を前記第１出口カバーと前記第２出口カバーの外面のいずれかに露出することなく、開放するステップと、
からなる方法に関する。
１つの好ましい実施形態によると、２以上の容積は、２以上の容器からなる。他の実施形態によると、２以上の容積は、容器と導管（例えば、チューブ、ホース、パイプ、ダクト等）を含む。好ましくは、前記出口カバーの１又は複数の外面は、接触時に前記出口カバーの外面をシールする接着剤を有する。
【００１５】
さらに他の実施形態は、
２つの容器間の物質移動を促進する方法において、
（ａ）第１開口を形成する第１壁を含む第１突出フランジを有し、前記第１突出フランジに接合された第１内膜を有し、前記第１内膜は前記第１開口を跨ぎ、前記第１内膜により実質的に拘束された第１フラップ部を形成する第１容器を提供するステップと、
（ｂ）第２開口を形成する第２壁を含む第２突出フランジを有し、前記第２突出フランジに接合された第２内膜を有し、前記第２内膜は前記第２開口を跨ぎ、前記第２内膜により実質的に拘束された第２フラップ部を形成する第２容器を提供するステップと、
（ｃ）前記第１フラップ部が前記第２フラップ部とほぼ一致するように、前記第１フランジと前記第２フランジを一致させるステップと、
（ｄ）前記第１フランジと前記第２フランジを接合するステップであって、好ましくは前記第１外面を前記第２外面に接着するステップと、
（ｅ）前記第１内膜部から第１フラップ部を解放し、前記第２内膜部から第２フラップ部を解放し、前記第１容器と前記第２容器の間の通路を開放するステップと、
からなる方法に関する。
【００１６】
さらに他の実施形態は、
２つの容器間の物質移動を促進する方法において、
（ａ）第１開口を形成する第１壁を含む第１突出フランジを有し、前記第１突出フランジに接合された第１内膜を有し、前記第１内膜は前記第１開口を跨ぎ、前記第１内膜により実質的に拘束された第１フラップ部を形成する第１容器を提供するステップと、
（ｆ）第２開口を形成する第２壁を含む第２突出フランジを有する一端のコネクタを有し、前記第２突出フランジに接合された第２内膜を有し、前記第２内膜は前記第２開口を跨ぎ、前記第２内膜により実質的に拘束された第２フラップ部を形成する移動導管を提供するステップと、
（ｇ）前記第１フラップ部が前記第２フラップ部とほぼ一致するように、前記第１フランジと前記第２フランジを一致させるステップと、
（ｈ）前記第１フランジと前記第２フランジを接合するステップであって、好ましくは前記第１外面を前記第２外面に接着するステップと、
（ｉ）前記第１内膜から第１フラップ部を解放し、前記第２内膜部から第２フラップ部を解放し、前記第１容器から前記移動導管への通路を開放するステップと、
からなる方法に関する。
【００１７】
本発明の他の態様、特徴、実施形態は次の開示及び添付請求の範囲からより完全に明らかになる。
【発明を実施するための最良の形態】
【００１８】
次の特許／特許出願の開示は、ここに記載されているかのように参照することでここに組み入れる。米国特許第６７４９８０８号の「隔離システムの一部に結合するための滅菌可能なアダプタを備えた滅菌可能な容器」、米国特許出願公開第２００５／００７８５５２の「個体、液体及びガスを混合するための可撓性混合バッグ」と、米国特許出願公開第２００４／０２３３７７９の「個体、液体及びガスを混合するための可撓性混合バッグ」。これらは、本願出願人の譲受人に共通して譲渡されている。
【００１９】
処理容器及び該処理容器を相互接続する方法に関連する種々の問題が本発明の実施形態により克服される。例えば、接続される容器の内面への汚染物質の導入は各容器に関連する開口形成フランジを覆うフラップ形成切れ目付き膜の使用により、実質的に減少し、又は排除される。各フラップ部は各容器のフランジが互いに接合されるまで周囲の膜により実質的に拘束されることが好ましい。２つの容器が接合されると各フラップ部は周囲の膜から自由になり、容器の間の通路を開放し、一方の容器から他方の容器への物質移動を促進する。このようにして、容器の内部の大気環境又は膜の外面への露出が劇的に減少され、又は完全に回避される。この基本コンセプトの更なる詳細、修正及び向上をここに提供する。
【００２０】
好ましい実施形態では、各容器は実質的に非剛性材料で製造されたバッグ又は折り畳み可能な（collapsible）タンクからなる。このようなタンク又はバッグは、高密度又は低密度ポリエチレンのようなポリマーフィルムで構成されることが好ましい。望まれるなら、バッグ又はタンクは適当なフック又は他のファスナを備えた剛性サポート（例えば剛性タンク又は容器）又は実質的に開口したフレーム内に構造的に支持されてもよい。容器を形成するために非剛性材料使用する１つの利点は、このように形成された容器は、安価で容易に廃棄することができ、これにより「１回使用操作」を促進し、バッチ間で処理される多数回使用容器を洗浄及び／又は滅菌することに関連する前述の問題を回避することができることである。
【００２１】
容器５０に接合されたコネクタフランジ１０を含むアセンブリ１１０が図１（図３に示すＡ−Ａ線断面図）に断面図で示されている。図１には、容器５０の壁５１に一部のみが示されているが、容器５０は１又は複数の物質を保管及び／又は処理するのに適した実質的に包囲された内部を形成するように意図されていることを理解すべきである。容器の壁５１は、内面５４と外面５５を含む。
【００２２】
開口１２を形成する壁１５を有するフランジ１０が容器５０に接合されている。他の実施形態によると、コネクタフランジ１０は分離した要素（不図示）よりもむしろ容器５０に一体化されてもよい。フランジ１０はさらに、面１８で終わっている拡大され、又は張り出された外部又はリップ１６を有し、容器５０は接合される拡大された内部又はリップ１４を形成している。フランジ１０と容器５０は、機械的手段、超音波溶接、溶剤接合、熱接合及び接着接合のような適切な手段により、接合されてもよい。内部又はリップ１４と容器の内面５４の間の境界面は継ぎ目５９を形成する。
【００２３】
フランジ１０の外面図が図２から３に提供されているが、明瞭にするため、関連の容器は省略されている。フランジ１０の基端側外面１８は図３に斜線で示され、張り出し内部リップ１４に対して立ち上がっていることを示している。図２に提供されたフランジ１０の側面は、一方の容器のフランジ１０が他方の容器のフランジ１０と容易に整列し、一致させることができる調整マーク（alignment mark）２０を示している。
【００２４】
図１−３のコネクタフランジ１０、第１フラップ形成膜２１、及び第２膜２５のアセンブリの断面図が図４に与えられている。第１膜２１と第２膜２５は好ましくは、ポリマーフィルム、金属箔、ポリマーコート箔、又はこれらの均等材料のいずれかのような適度に耐久性のある実質的に非反応性の材料からなる。フランジ１０と第１膜２１の組み合わせは第１アセンブリ３２を形成し、一方、フランジ１０、第１膜２１及び第２膜２５の組み合わせは、第２アセンブリ３１を形成する。
【００２５】
ここに提供されたコネクタフランジ１０を製造するのに種々の材料及び製造方法を使用することができるが、好ましい実施形態はポリマー材料を使用して成形される（例えば、射出成形）。低密度及び高密度ポリエチレンを含むポリエチレン材料は、特に好ましい材料である。実質的に光学的に伝達性のある材料すなわち透明材料は、フランジ１０の内部を視認し、又は検査することができるようにコネクタフランジを形成するのに使用されることが望ましい。このような材用を使用する利点は、低い製造価格、工場及び実験室で使用される広範囲な物質との親和性（例えば非反応性）、ある分野で要求される滅菌に対する順応性である。低製造価格により、ここに開示されたドレンコネクタを１回使用すなわち廃棄可能使用操作が可能となり、高価な洗浄／滅菌操作を排除することができ、又、バッチ間の繰り越し（carry over）の可能性を排除することができる。
【００２６】
容器及び付随するコネクタ及び膜及び／又は容器、コネクタ及び／又は膜を製造する材料は、実質的に粒状物質が無く（少なくとも内部又は表面に沿って）、内部に収容され、輸送され、又は処理される物質の汚染を防止することが好ましい。その表面の１ミクロン以上のサイズの粒子の濃度は、好ましくは１ｃｍ２当たり約１０粒子以下、さらに好ましくは１ｃｍ２当たり約１粒子以下、さらに好ましくは、１０ｃｍ２当たり約１粒子以下である。他の好ましい実施形態によると、材料は製品清浄度レベル及び汚染制御用のＭＩＬ−ＳＴＤ−１２４６Ｃ標準（環境科学研究所）に従う。
【００２７】
好ましくは、容器及び／又はコネクタを製造するのに使用される材料は、ポロゲン（porogen）が無い又は実質的にポロゲンが無い。そのような材料の実施例は米国特許出願第１０／６５８０３４号に記載されている。好ましい実施例によると、製造材料におけるポロゲンの存在は、約０．２重量パーセント以下、好ましくは、約０．０５重量パーセント以下、さらに好ましくは、約０．０１重量パーセント以下である。
【００２８】
第１膜２１は、該第１膜２１の内面２２をフランジ１０の面１８と接続することにより、フランジ１０に永久的に接合されることが好ましい（例えば超音波溶接、溶剤溶接、接着剤結合、熱接合、又は均等な接合方法による）。好ましくは、第２膜２５は、該第２膜２５の内面２６を第１膜２１の外面２３に除去可能な接着剤により、接着することにより、第１膜に取り外し可能に接合される。第２膜２５は半径方向外方に延びて関連のフランジ１０の壁１５を貫通する少なくとも１つを有することが望ましい。これにより、ユーザは、該ユーザの指で掴むようにされたプルタブ２８からなる（少なくとも１つの）延長部を用いて、アセンブリ３１から第２膜２５を掴んで取り除くことができる。好ましい実施形態では、第１膜２１と第２膜２５を接合する除去可能な接着剤は、例えばトリクロサン及び／又はトリクロカルバン（triclocarban）のような抗細菌物質からなる。抗細菌物質の添加により、容器接続工程中に容器に微生物が導入されないことを保証し、これにより汚染問題を回避することができる。第１膜２１、第２膜２５のいずれか又は両方は自己接着フィルムからなることが好ましい。
【００２９】
容器５０、フランジ１０、第１膜２１及び第２膜２５を含むアセンブリ１３１が図５Ａ示されている。第１膜２１とフランジ１０の間の好ましくは永久的な接続は、（例えば面１８）は第１ジョイント１９として示され、第１膜２１と第２膜２５との間の好ましくは非永久的（例えば除去可能な接着剤）接続は、第２ジョイント２４として示されている。図５Ａに示す矢印は、ユーザにより、周方向に伸びる部分又はプルタブ２８を介して第２膜２５を第１膜２１から取り除くことができる方向を示す。
【００３０】
図４のアセンブリ３１の正面図（明瞭にする為に容器５０を除いた以外は図５Ａのアセンブリ１３１と実質的に同一である）が図５Ｂに示され、第２膜２５は強調する為に斜線がつけられている。第２膜２５は輸送又は取扱中に汚染物質又は破片が第１膜２１と接触するのを防止するために使用され、第２膜２５は容器５０は他の同様の容器に接続される直前にのみ取り外すことができる。
【００３１】
容器５０、フランジ１０及び第１膜２１を含む他のアセンブリ１３２（すなわち図５  に示す第２膜２５を取り外している）が図６Ａに示されている。好ましくは第２膜２５の取り外しにより、接着層が第１膜２１の外面２３に沿って露出する。このアセンブリ１３２は他のアセンブリに同様の状態で接合される用意ができている。
【００３２】
図４のアセンブリ３２の正面図（明瞭の為に容器５０を除去した以外は図６Ａのアセンブリ１３２と実質的に同一である）が図６Ｂに示され、第１膜２１は強調する為に斜線がつけられている。第１膜２１は少なくとも１つの切れ目（scored）セグメント４２により形成されたフラップ部又は半島状部分４１を含み、連続部４３を残し、フラップ４１用のヒンジとして機能している。第２セグメントは機械的切断又はレーザアブレーションのような適宜手段により、形成されてもよい。少なくとも１つの切れ目セグメント４２の切れ目部分は、第１膜２１の全厚を貫通してもよいし、していなくてもよい。ユーザがフラップ４１を第１膜２１から自由にする時までフラップ部４１は第１膜２１により実質的に拘束されることが望ましい。第１膜２１の外方の実質的に環状部４４は、少なくとも１つの切れ目セグメント４２の周囲の外側に配置され、フラップ部４１を実質的に取り囲んでいる。
【００３３】
図７Ａは２つのアセンブリ１３２Ａ、１３２Ｂのアセンブリの断面図を示し、それぞれ容器５０Ａ，５０と１つのフラップ形成膜２１Ａ、２１Ｂにより覆われたフランジ１０Ａ、１０Ｂを含む。水平矢印は、アセンブリ１３２Ａ、１３２Ｂが取り外されてそれらを互いに接合することができる方向を示す。前述したように、各フラップ形成第１又は内膜２１Ａ、２１Ｂの外面２３は、接着剤からなることが好ましい。これにより、内膜２１Ａ、２１Ｂは接触して互いに接合されてもよい。２つのフランジ１０Ａ、１０Ｂと第１膜２１Ａ、２１Ｂの側面図を示す図７Ｂに示すように、フランジ１０Ａ，１０Ｂは調整マーク２０Ａ、２０Ｂの助けにより、互いに調整され、整列されることが好ましい。これにより第１膜２１Ａ、２１Ｂのフラップ部４１Ａが互いに一致することが保証される。
【００３４】
２つのフランジ１０Ａ、１０Ｂが互いに一致すると、フランジ１０Ａと１０Ｂが互いに押圧され、第１膜２１Ａ、２１Ｂの間で接着接合される。フランジ１０Ａ、１０Ｂと第１膜２１Ａ，２１Ｂを有する２つの容器５０、５０の相互接続を示すアセンブリ２００が図７Ｃに示されている。界面１２４に沿った第１膜２１Ａ、２１Ｂの間の接触の維持と、接合されたフランジ１０Ａ、１０Ｂの構造的支持は、フランジ５１Ａ、５１Ｂの周りに、好ましくは各フランジの外方リップ１６の周りに接合された周方向クランプ９０により、提供される。前述したように各膜２１Ａと２１Ｂのフラップ部４１が周囲の環状部４４から自由にされるまで、フラップ部４１は環状外膜部４４により、実質的に拘束されたまま残る。
【００３５】
以上の開示を再検討することにより、推測されるように２つの容器間の物質移動を促進する方法は、いくつかの方法ステップを含む。第１ステップは、第１突出フランジを有する第１容器を提供することを含み、第１突出フランジは第１開口を形成する第１壁を有し、又、第１フランジに接合された第１内膜を有し、第１内膜は第１開口に覆い、第１内膜により、実質的に拘束された第１フラップ部を形成している。第２ステップは、第２突出フランジを有することを提供することを含み、第２突出フランジは、第２開口を形成する第２壁を有し、第２フランジに接合された第２内膜を有し、第２内膜は第２開口を覆い、第２内膜により、実質的に拘束された第２フラップ部を形成している。第３ステップは、第１フラップ部が第２フラップ部にほぼ一致するように、第１フランジと第２フランジを位置合わせする（registering）ことを含む。第４ステップは、第１フランジと第２フランジを接合することを含み、好ましくは第１外面を第２外面に接着することを含む。第５ステップは、好ましくは各フラップ部を所定の切れ目セグメントに沿って、その周辺膜から分離することにより、第１フラップ部を第１内膜から解放し、又、第２フラップ部を第２内膜から解放して第１容器と第２容器の通路を開放することを含む。好ましくは、各容器は接続ステップに先立って、内膜を露出するまでに取り外される外膜を最初に有している。容器間の通路が開放すると、第１容器に最初に収容された第１物質と第２容器に最初に（もしあれば）収容された第２物質とのいずれかの少なくとも一部が他の容器に輸送される。
【００３６】
他の実施形体は、２以上の容積（volume）の内容物を前記容積の外側の環境に露出することなく、２以上の容積の間の物質移動通路を形成する方法に向けられている。各容積は出口を有し、出口カバーの内面を含む内面により拘束され、外カバーは外面を有している。この方法は、
第１容積の外カバーの外面を第２容積の外カバーの外面と位置合わせし、
第１容積の外カバーの外面を第２容積の外カバーの外面とシールし、
第１容積と第２容積の内容物は第１外カバーと第２外カバーの外面のいずれかに露出すること無く、第１容積の出口と第２容積の出口を通る通路を開放する
ことを含む。２以上の容積は、容器と導管のいずれかを含み、例えば導管は中部、ホース、パイプ及びダクトのいずれであってもよい。
【００３７】
図８は、前述のアセンブリ２００と実質的に同一のアセンブリ２０１を断面図で示すが、フラップ部４１Ａ、４１Ｂを膜２１Ａ、２１Ｂ（図７Ｃに示す）から解放し、フラップ部を界面１２３（図７Ｃに示す）に沿って互いに接着して複合フラップ１４１を形成していることを示している。フラップ部４１Ａ，４１Ｂを膜２１Ａ、２１Ｂから解放するのに接触圧を使用してもよい。たとえばポリマーフィルムから形成されるような実質的に非剛性容器５０Ａ、５０Ｂを使用すると仮定すると、フラップ部４１Ａ、４１Ｂ、指又は剛性器具を対応するフランジ１０Ａ、１０Ｂと反対側の１つの容器壁５１の外面５５に押し付けることにより、膜２１Ａ、２１Ｂから開放され、これにより部分的に容器壁５１をつぶしてフラップ部４１Ａ、４１Ｂに接触させ、さらに圧力を加えて（例えば図８に示す大きな矢印の方向に）複合フラップ１４１を接着された膜２１Ａ、２１Ｂの周辺環状部４４から少なくとも１つの切れ目セグメント４２に沿って分離し解放する。複合フラップ１４１は、各膜２１Ａ、２１Ｂと関連する連続部又はヒンジ４３により、接着された膜２１Ａ，２１Ｂに接続されたまま残る。このようにして複合フラップ１４１は自由に揺動することができ、開口又は通路４８は２つの容器５０Ａ、５０Ｂの間で開放され、物質がそれらの間で移動することができるようになる。
【００３８】
他の実施形態では、関連のコネクタを有する容器又は導管はさらに、ユーザが２つの容積間の通路を開放できるようにされた関連の突出要素又はレバー要素を有する。このような突出要素又はレバー要素は容器の壁、導管壁、フランジ又は膜／境界要素のいずれかに取り付けてもよい。１つの実施形態では、少なくともレバー工具又は突出工具の一部は、内膜／境界要素と外膜／カバー要素との間に係合され、又は配置され、これによりここに設けられた２つの容積間の接続を確立すると、レバー要素又は突出要素の少なくとも一部が２つの内膜又は境界要素の２つの接着された外面間にはさまれる。突出又はレバー要素はユーザにより操作されて複合フラップを自由にし、これにより２以上の容積間の物質移動経路を開放する。１つの実施形態では、突出要素のレバーの一部は容積とコネクタの外側にあり、ユーザにより外部操作することができる。他の実施形態では、このようなレバー又は突出要素は容積及び／又はコネクタの中に完全に収容され、その操作はコネクタの可撓壁により可能であり、又は磁石又は着磁可能要素が突出又はレバー要素に設けられている場合には、磁力駆動のような適切な非接触手段により可能である。
【００３９】
図９は前述のアセンブリ２０１と実質的に同一であるアセンブリ２０２を断面図で示すが、各容器５０Ａ、５０Ｂと関連する外部サポート又はタンク６５Ａ、６５Ｂが追加されている（及び図８に示す方向矢印は省略されている）。このようにして各容器５０Ａ、５０Ｂはそれぞれのサポート又はタンク６５Ａ、６５Ｂ内で廃棄可能ライナ（liner）として役立つことができる。外部サポート又はタンクの使用により、ライナタイプの容器の内容物の第２の収容と、さもなければ扱いにくいライナタイプの容器を操作（例えば振動又は回転）する手段を提供し、及び／又は所定の用途で使用することができるものよりも薄いライナを使用することができる。
【００４０】
図１０は１つの実施形態による処理アセンブリ３００を示し、このアセンブリはクランプ９０で結合された本発明によるコネクタフランジ１０Ａ、１０Ｂで接合された２つの可撓性容器２５０Ａ、２５０Ｂを有し、容器２５０Ａ、２５０Ｂは実質的に剛性の外部タンク又はサポート６５Ａ、６５Ｂ内に収容されている。サポート６５Ａ、６５Ｂは互いに離れて結合され、サポートサブアセンブリ６６を形成し、接合された容器２５０Ａ、２５０Ｂを遠隔操作する種々の機構のいずれかに接続されてもよい。図１０はさらに容器２５０Ａ、２５０Ｂとサポート６５Ａ、６５Ｂのいずれかに印刷され、接着され、又は配置された説明書（instruction）又は印（indicia）２８０Ａ、２８０Ｂを示す。このような説明書又は印、例えば容器を接合し、そこに物質を支持し、又は処理し、及び／又は物質又は容器を取扱い、又は廃棄するといった方法工程を実行するユーザに提供する。他の実施形態では、説明書又は印は容器２５０Ａ、２５０Ｂと関連する包装材料に配置され、容器コネクタと関連する第２（外）膜に配置される。１又は複数の容器、包装、説明書又は印の種々の組み合わせを纏めてキットにすることができる。
【００４１】
図１１は、図１０に示すアセンブリ３００に類似する他の処理アセンブリ４００を示すが、ある相違点を示す。アセンブリ４００は２つではなく、又、互いに直接接続されているのではなく、３つの容器２５０Ａ−２５０Ｃを有する。容器２５０Ａ−２５０Ｃは複数のコネクタ１０Ａ−１０Ｆにより中間導管１７０を介して結合されている。導管１７０は、容器２５０Ａ−２５０Ｃ間の物質移動を許容する内部通路を有する。対向するコネクタ対１０Ａ、１０Ｂ；１０Ｂ、１０Ｅ；及び１０Ｃ、１０Ｆはそれぞれ、容器２５０Ａ、２５０Ｂ、２５０Ｃと導管１７０との間の無汚染結合を許容する相フラップ部を有する。クランプ９０Ａ、９０Ｃは容器２５０Ａ−２５０Ｃを導管１７０に接合するサポートを備えていてもよい。導管１７０は、さらなる相互接続能力、視認又は監視能力又は装着能力（例えばアセンブリ４００を外部機構に装着して適切な物質処理ステップを達成する）のいずれかを提供する機能要素１７１を有する。各容器２５０Ａ−２５０Ｃは実質的に剛性の外部タンク又はサポート１６０Ａ、１６０Ｃ内に収容されている。サポート１６０Ａ、１６５Ｃは、互いに別個に固定され、サポートアセンブリ１６６を形成し、例えば任意の機構に接合された容器２５０Ａ−２５０Ｃの操作を促進するようにしてもよい。
【００４２】
他の実施形態は、前述のフランジ付きコネクタに類似する有用性を提供するフランジ無しコネクタに向けられている。境界要素３５１（例えば容器又は導管３５０の壁）と、関連のカバー要素３２５のフラップ形成部が図１２Ａ、１２Ｂに示されている。このような実施形態は、ポリマーフィルムのような実質的に非剛性材から製造される境界要素３５１（それぞれ外面３５２、３５３を有する）を利用することが好ましい。少なくとも１つの切れ目セグメント１４２を含むフラップ部３４１は、フラップ１４１のヒンジとして役立つ境界部１４３を残して境界要素３５１に直接形成されている。境界要素３５１の外部の実質的に環状の部分３４４は接着剤で被覆され、容器又は導管３５０を同様のタイプの他の容器又は導管に接合するのを促進してもよい。好ましい実施形態では、そのような接着剤は、２つの容器又は導管を互いに接触した後、外部手段（例えば、熱又は放射線）により、活性化し又は硬化される。これによりカバー３２５は接触ステップの前に取り外され、連接するフラップ部を露出するようにしてもよいが、活性化又は硬化の後に接合された容器及び／又は導管は及び／又は分離に抵抗するようにしてもよい。カバー３２５は、それぞれ内面と外面３２６、３２７を有する。
【００４３】
フラップ形成容器又は導管３５０とカバー３２８を有するアセンブリ５００が図１３Ａ−１３Ｂに示されている。図１３Ａに示す矢印は、カバー３２５がユーザにより周方向に延びる部分又はプルタブ３２８を介して外面３５３から取り外される方向を示す。カバー３２５と境界要素３５１の間の接合３２４は好ましくは非永久的接着剤を含む。強調するために図１３Ｂで斜線がつけられたカバー３２８は、容器又は導管３５０を同様のタイプの他のものに接合するステップの前に、容器又は導管３５０から取り外されるように意図されている。それぞれのカバー３２５の取り外しに続いて、２つの容器及び/又は導管３５０のフラップ部３４１は互いに一致させられ、フラップ部は互いに接触し接着する。さらなる接着剤が、フラップ部３４１の回りの境界要素３５１の管状部３４４に設けられ、２つの容器及び/又は導管３５０の間のシールを促進することが好ましい。
【００４４】
接合ステップ中に泡又は望ましくない効果が無いように隣接する拘束フラップ部の間の良好な接触接着を促進するために、隣接する容器及び/又は導管の一方又は両方を圧縮して、一方のフラップ部を他方に向かって外方に膨らませ又は湾曲させてもよい。
【００４５】
ここに記載のコネクタとともに使用する処理容器６０１を有するアセンブリ６００が図１４に示されている。容器６０１は、容器６０１（の例えば上部６０４）に接合されて、容器６０１に突出する空間形成シールドスリーブ６２０を有する。スリーブ６２０の機能は、混合要素６２４，６２５と容器６０１の内面との間の隔離障壁として役立つことである。望まれるなら、スリーブ６２０は、ポリマーフィルムから製造し、混合要素６２４，６２５がスリーブ６２０に挿入された後に下部継ぎ目を設け、これにより、混合要素６２４，６２５のいずれかをスリーブ６２０により永久的に保持してもよい。スリーブ６２０と混合要素６２４，６２５は、コネクタフランジと関連するフラップ、例えば前述のフランジと関連するフラップ４１を解放するのに使用してもよい。スリーブ６２０は、補強開口形成カップリングガイド６２８を有し、サポートロッド６２５がスリーブ６２０に挿入され、及び/又は外部混合機構（不図示）がサポートロッド６２５に結合される一方、スリーブ６２０の破裂又は損傷に耐えるようにしてもよい。動作中、スリーブ６２５に収容されたパドル６２５とロッド６２４は、容器６１０内の円、楕円その他の適切な通路に向けられて、その中に収容された物質を攪拌又は混合することが好ましい。
【００４６】
上部継ぎ目６２２は、スリーブ６２０を容器６０１の上壁６０４に接合し、スリーブ６２０を好ましくは永久的に容器６０１に接合する。容器６０１とスリーブ６２０の両方は、経済的な１回使用（すなわち廃棄可能）操作に適したポリマー材料からなることが好ましい。１つの実施形態では、容器６０１とスリーブ６２０の各々はポリマーフィルムからなり、特に好ましい実施形態では、容器６０１とスリーブ６２０の各々は実質的に光学的に透過な又は透明なフィルムからなる。望まれるなら、実質的に開放された外部フレーム（不図示）を設けて、容器６０１を関連するフック又はコネクタ（不図示）で支持してもよい。容器の上壁はさらに、物質が容器６０１に入るためのアクセスポートとして機能する開口６３１，６３２を形成している。各開口又はポート６３１，６３２は、好ましくは、関連の供給ライン６３３，６３４、シール要素６３５，６３６、及び結合要素６３７，６３８を有する。容器６０１の下壁６０６は、ここに提供されたようなコネクタフランジ１０を受け入れるように適合された開口６０５を形成している。このようにして、処理容器６０１は他の容器（不図示）に接合され、それらの間に交換される物質が処理される。
【００４７】
ここに提供されたようなコネクタフランジを有する容器は、種々の所望の用途に使用される。１つの実施形態では、そのような容器は、処理容器に加える薬剤先駆材料、治療剤、結合剤、バルク材料、着色剤、香料添加剤、安定剤、防腐剤、試薬から選択される少なくとも１つの材料を処理することで、工業化学製品を混合及び/又は反応するのに使用される。他の実施形態では、容器は薬品の開発、定型化、又は製造を支援するのに使用される。他の実施形態では、ここに記載される容器は、生物材料を処理（例えば、混合、反応、及び/又は発酵）するのに使用してもよい。さらに他の実施形態では、ここに記載されたような容器は、半導体先駆物質及び/又は処理材料を処理、例えば湿式溶液を摩耗性材料と結合するのに使用し、化学機械物研磨又は平坦化（ＣＭＰ）スラリーを生じる。
【００４８】
ここに開示された要素は、さらなる利点を提供するように、種々の組合せを行ってもよい。例えば、容器及び/又は導管を含む容積は、１又は関連するコネクタを有していてもよい。他の実施例では、ここに開示されたようなコネクタを有する容器及び/又は導管を含むアセンブリを設けてもよい。他の実施例では、物質処理システムは、ここに提供されたような容器及び/又は導管を、おそらくは追加の混合要素と組み合わせて、含んでいてもよい。さらに他の実施例では、コネクタを備えた容器、コネクタを備えた導管、そこに収容され配置された物質、包装及び/又は説明分又は印を設けてもよい。
【００４９】
本発明は、特定の態様、特徴、及び実施形態を参照して説明したが、本発明の有用性はこれらに限定されるものではなく、むしろここに開示されたものに基づいて本発明における当業者により提案されるような他の種々の変形、修正及び代案実施形態まで拡大し、包囲してもよい。これに対応して、請求の範囲の本発明は、本発明の範囲内において、変形、修正及び代案実施形態を広く解析し、解釈するように意図されている。
【図面の簡単な説明】
【００５０】
【図１】容器の一部に接合されたコネクタフランジの断面図で、図３に示すＡ−Ａ線に沿った断面図を示す。
【図２】外部調整マークを有する図１のコネクタフランジの側面図を示す。
【図３】図１，２のコネクタフランジの正面図を示す。
【図４】図１，３のコネクタフランジ、第１膜及び第２膜からなるアセンブリの断面図である。
【図５Ａ】図１のコネクタフランジと容器部分の断面図で、コネクタフランジはさらに２つの膜を有し、最も外側の膜が周辺延長部又はプルタブにより、ユーザにより取り除かれる方向を矢印で示す。
【図５Ｂ】図５Ａのコネクタフランジと最も外側の膜の正面図を示す。
【図６Ａ】最も外側の膜を取り外した図５Ａと同じ図を示す。
【図６Ｂ】図５Ａのコネクタフランジと内側の膜の正面図を示す。
【図７Ａ】内側の膜を備えた２つのコネクタフランジと２つの容器の部分のアセンブリの断面図を示し、フランジと容器が取り外されて互いに接合される方向を矢印で示す。
【図７Ｂ】互いに接触する図７Ａのコネクタフランジの側面図を示し、各コネクタフランジの外部調整アークが互いに一致していることを示す。
【図７Ｃ】外部クランプにより、互いに接合された図７Ａ−７Ｂのコネクタフランジの断面図を示す。
【図８】図７Ｃの接合されたコネクタフランジの断面図を示し、内側の膜から接合フラップ部をはずして、互いに接着されたフランジの内側の膜を示し、さらに接合されたフラップ部と周辺の接続された内側の膜との間の分離を行なうために接合フラップ部を剥ぎ取る方向を矢印で示す。
【図９】図８と同じ図を示すが、各容器の近傍に外部タンク又はサポートを追加し、方向矢印を省略した図を示す。
【図１０】剛性サポート内に配置され、クランプされたコネクタフランジを介して互いに接合された２つの可撓性容器を有するアセンブリの斜視図を示し、容器及びサポートはさらに外側から視認可能な説明書又は印をさらに有し、剛性サポート内の可撓性容器を斜線で示す。
【図１１】剛性サポート内に配置され、導管を介して、互いに接合された３つの可撓性容器を有するアセンブリの斜視図を示し、剛性サポート内の可撓性容器を破線で示す。
【図１２Ａ】境界要素とカバーのフラップ形成部のアセンブリの断面図である。
【図１２Ｂ】図１２Ａの境界要素のフラップ形成部の正面図である。
【図１３Ａ】カバーがフラップを跨り、互いに取り外し可能に接合された図１２Ａの境界要素部とカバーの断面図を示す。
【図１３Ｂ】図１３Ａのカバーと境界要素部の正面図である。
【図１４】本発明によるコネクタフランジで使用する処理容器の斜視図を示し、容器が混合要素と接続ロッドを収容する中空スリーブを有し、種々の内部構造の内部への特徴を破線で示す。
【符号の説明】
【００５１】
１０  コネクタフランジ
１２  開口
１４  拡大された内部又はリップ
１５  壁
１６  張り出された外部又はリップ
１８  面
２０  調整マーク
２１  第１膜
２２  内面
２３  外面
２５  第２膜
２８  プルタブ
３１  第２アセンブリ
３２  第１アセンブリ
５０  容器
５１  壁
５４  内面
５５  外面
５９  継ぎ目
１１０  アセンブリ
【図１】
2009511233.tif 000003
【図２】
2009511233.tif 000004
【図３】
2009511233.tif 000005
【図４】
2009511233.tif 000006
【図５Ａ】
2009511233.tif 000007
【図５Ｂ】
2009511233.tif 000008
【図６Ａ】
2009511233.tif 000009
【図６Ｂ】
2009511233.tif 000010
【図７Ａ】
2009511233.tif 000011
【図７Ｂ】
2009511233.tif 000012
【図７Ｃ】
2009511233.tif 000013
【図８】
2009511233.tif 000014
【図９】
2009511233.tif 000015
【図１０】
2009511233.tif 000016
【図１１】
2009511233.tif 000017
【図１２Ａ】
2009511233.tif 000018
【図１２Ｂ】
2009511233.tif 000019
【図１３Ａ】
2009511233.tif 000020
【図１３Ｂ】
2009511233.tif 000021
【図１４】
2009511233.tif 000022